【手続補正書】
【提出日】平成15年12月19日(2003.12.19)
【手続補正１】
【補正対象書類名】明細書
【補正対象項目名】特許請求の範囲
【補正方法】変更
【補正の内容】
【特許請求の範囲】
【請求項１】
乗車券媒体所持者が進行する通路を形成する筐体と、
筐体における通路の進行方向に沿った上流側に設けられ、１枚以上の乗車券媒体を受け取る受取口を有する受取手段と、
前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、
前記通路に沿って筐体に設けられ、前記乗車券媒体所持者を検知する検知手段と、
前記受取手段が乗車券媒体を受け取ることが可能な受取領域に乗車券媒体所持者がいるか否かを判断する判断手段と、
乗車券媒体所持者から乗車券媒体を受け取ることなく前記検知手段により通路中の第１の位置で前記乗車券媒体所持者を検知した場合には、前記乗車券所持者を無札者として認識し、前記無札者の通路の進行を阻止する阻止手段と、
前記無札者に対して進行方向の上流側に戻るように案内する案内手段と、
前記阻止手段が前記無札者の進行を阻止したのに基づき後続する他の乗車券媒体所持者から乗車券媒体を受け取らないために前記受取手段の受取口を閉じる開閉手段と、
前記判断手段が前記受取領域に後続する他の乗車券媒体所持者がいないと判断し、且つ前記検知手段が前記無札者が前記第１の位置より上流側の通路中の第２の位置まで戻ったことを検知した場合には、前記開閉手段を開いて前記無札者の所持している乗車券媒体の受取を許可するように制御する制御手段と、
を備えたことを特徴とする改札装置。
【請求項２】
乗車券媒体所持者が進行する通路を形成する筐体と、
筐体における通路の進行方向に沿った上流側に設けられ、１枚以上の乗車券媒体を受け取る受取口を有する受取手段と、
前記受取手段により受け取った乗車券媒体を１枚ずつ進行方向の下流側に向けて搬送しながら、前記乗車券媒体に記録されているデータを読み取り、必要に応じて所定の処理を施した後、返却または回収する処理手段と、
前記通路に沿って筐体に設けられ、前記乗車券媒体所持者を検知する検知手段と、
前記受取手段が乗車券媒体を受け取ることが可能な受取領域に乗車券媒体所持者がいるか否かを判断する判断手段と、
乗車券媒体所持者から受け取った全ての乗車券媒体を前記処理手段により読み取り、乗車券媒体が不足していると判断した場合には、前記乗車券所持者を券不足者として認識し、前記券不足者の通路の進行を阻止する阻止手段と、
前記券不足者に対して進行方向の上流側に戻るように案内する案内手段と、
前記阻止手段が前記券不足者の進行を阻止したのに基づき後続する他の乗車券媒体所持者から乗車券媒体を受け取らないために前記受取手段の受取口を閉じる開閉手段と、
前記判断手段が前記受取領域に後続する他の乗車券媒体所持者がいないと判断し、且つ前記検知手段が前記券不足者が前記通路中の所定位置まで戻ったことを検知した場合には、前記開閉手段を開いて前記券不足者の所持している乗車券媒体の受取を許可するように制御する制御手段と、
を備えたことを特徴とする改札装置。
【請求項３】
乗車券媒体所持者が進行する通路を形成する筐体と、
筐体における通路の進行方向に沿った上流側に設けられ、１枚以上の乗車券媒体を受け取る受取口を有する受取手段と、
前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、
前記通路に沿って筐体に設けられ、前記乗車券媒体所持者を検知する検知手段と、
前記受取手段が乗車券媒体を受け取ることが可能な受取領域に乗車券媒体所持者がいるか否かを判断する判断手段と、
乗車券媒体所持者から受け取った全ての乗車券媒体を前記処理手段により読み取り、乗車券媒体が不足していると判断した場合には、前記乗車券所持者を券不足者として認識し、また、乗車券媒体所持者から乗車券媒体を受け取ることなく前記検知手段により通路の第１の位置で前記乗車券媒体所持者を検知した場合には、前記乗車券所持者を無札者として認識し、前記券不足者又は無札者の通路の進行を阻止する阻止手段と、
前記券不足者又は無札者に対して進行方向の上流側に戻るように案内する案内手段と、
前記阻止手段が前記券不足者又は無札者の進行を阻止したのに基づき後続する他の乗車券媒体所持者から乗車券媒体を受け取らないために前記受取手段の受取口を閉じる開閉手段と、
前記判断手段が前記受取領域に後続する他の乗車券媒体所持者がいないと判断し、且つ前記検知手段が前記券不足者又は無札者が前記通路中の前記第１の位置より上流側の第２の位置まで戻ったことを検知した場合には、前記開閉手段を開いて前記券不足者又は無札者の所持している乗車券媒体の受取を許可するように制御する制御手段と、
を備えたことを特徴とする改札装置。
【請求項４】
乗車券媒体所持者が進行する通路を形成する筐体と、
筐体における通路の進行方向に沿った上流側に設けられ、１枚以上の乗車券媒体を受け取る受取口を有する受取手段と、
前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、
前記通路に沿って筐体に設けられ、前記乗車券媒体所持者を検知する検知手段と、
前記受取手段が乗車券媒体を受け取ることが可能な受取領域に乗車券媒体所持者がいるか否かを判断する判断手段と、
乗車券媒体所持者から受け取った全ての乗車券媒体を前記処理手段により読み取り、乗車券媒体が不足していると判断した場合には、前記乗車券所持者を券不足者として認識し、乗車券媒体所持者から乗車券媒体を受け取ることなく前記検知手段により通路の第１の位置で前記乗車券媒体所持者を検知した場合には、前記乗車券所持者を無札者として認識し、前記券不足者及び無札者の通路の進行を阻止する阻止手段と、
前記券不足者又は無札者に対して進行方向の上流側に戻るように案内する進行方向下流側の筐体に設けられた第１案内手段と、
進行方向上流側に振り返った前記券不足者又は無札者に対して進行方向のさらに上流側に戻るように案内する進行方向上流側の筐体に設けられた第２案内手段と、
後続する他の乗車券媒体所持者に対して前記受取領域から外れるように案内する進行方向上流側の筐体に設けられた第３案内手段と、
前記阻止手段が前記券不足者又は無札者の進行を阻止したのに基づき後続する他の乗車券媒体所持者から乗車券媒体を受け取らないために前記受取手段の受取口を閉じる開閉手段と、
前記判断手段が前記受取領域に後続する他の乗車券媒体所持者がいないと判断し、且つ前記検知手段が前記券不足者又は無札者が前記通路中の前記第１の位置より上流側の第２の位置まで戻ったことを検知した場合には、前記開閉手段を開いて前記券不足者又は無札者の所持している乗車券媒体の受取を許可するように制御する制御手段と、
を備えたことを特徴とする改札装置。
【請求項５】
乗車券媒体所持者が進行する上流側から下流側に向かって順に第１乃至第５ゾーンに分割された通路を形成する筐体と、
筐体における通路の進行方向に沿った上流側に設けられ、１枚以上の乗車券媒体を受け取る受取口を有する受取手段と、
前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、
前記通路に沿った前記第１乃至第５ゾーンの各ゾーンに対応する位置の筐体に設けられ、前記乗車券媒体所持者の位置をゾーン毎に検知する検知手段と、
前記受取手段が乗車券媒体を受け取ることが可能な受取領域に乗車券媒体所持者がいるか否かを判断する判断手段と、
乗車券媒体所持者から乗車券媒体を受け取ることなく前記検知手段により通路の第２ゾーンで前記乗車券媒体所持者を検知した場合には、前記乗車券所持者を無札者として認識し、前記無札者の通路の進行を阻止する阻止手段と、
前記無札者に対して進行方向の上流側に戻るように案内する案内手段と、
前記阻止手段が前記無札者の進行を阻止したのに基づき後続する他の乗車券媒体所持者から乗車券媒体を受け取らないために前記受取手段の受取口を閉じる開閉手段と、
前記判断手段が前記受取領域に後続する他の乗車券媒体所持者がいないと判断し、且つ前記検知手段が前記無札者が前記通路中の第１ゾーンまで戻ったことを検知した場合には、前記開閉手段を開いて前記無札者の所持している乗車券媒体の受取を許可するように制御手段と、
を備えたことを特徴とする改札装置。
【請求項６】
乗車券媒体所持者が進行する通路を形成する筐体における通路の進行方向に沿った上流側に設けられた１枚以上の乗車券媒体を受け取る受取口に乗車券媒体が投入されたか否かを検知する工程と、
受け取られた前記乗車券媒体を１枚ずつ進行方向の下流側に向けて搬送しながら、前記乗車券媒体に記録されているデータを読み取る工程と、
前記通路内の第１の領域に、前記乗車券媒体所持者が進入したか否かを検知する工程と、
前記乗車券媒体所持者から乗車券媒体を受け取ることなく前記第１の領域で前記乗車券媒体所持者を検知した場合には、前記乗車券所持者を無札者として認識する工程と、
前記無札者の通路の進行を阻止する工程と、
前記乗車券所持者を無札者として認識した際に、後続する他の乗車券媒体所持者から乗車券媒体を受け取らないために前記受取口を閉じる工程と、
前記無札者に対して進行方向の上流側に戻るように案内する工程と、
前記受取口に乗車券媒体を受け取ることが可能な受取領域に前記他の乗車券媒体所持者がいるか否かを判断する工程と、
前記受取領域に前記他の乗車券媒体所持者がいないと判断し、且つ前記無札者が前記通路中の前記第１の位置より上流側の第２の位置まで戻ったことを検知した場合に、前記無札者の所持している乗車券媒体の受取を許可するように前記受取口を開く工程と、
を備えたことを特徴とする改札方法。
【請求項７】
乗車券媒体所持者が進行する通路を形成する筐体における通路の進行方向に沿った上流側に設けられた１枚以上の乗車券媒体を受け取る受取口に乗車券媒体が投入されたか否かを検知する工程と、
受け取られた前記乗車券媒体を１枚ずつ進行方向の下流側に向けて搬送しながら、前記乗車券媒体に記録されているデータを読み取る工程と、
前記データを読み取って乗車券媒体が不足していると判断した場合には、前記乗車券所持者を券不足者として認識する工程と、
前記券不足者の通路の進行を阻止する工程と、
前記乗車券所持者を券不足者として認識した際に、後続する他の乗車券媒体所持者から乗車券媒体を受け取らないために前記受取口を閉じる工程と、
前記券不足者に対して進行方向の上流側に戻るように案内する工程と、
前記受取口に乗車券媒体を受け取ることが可能な受取領域に前記他の乗車券媒体所持者がいるか否かを判断する工程と、
前記受取領域に前記他の乗車券媒体所持者がいないと判断し、且つ前記券不足者が前記通路中の上流側の所定位置まで戻ったことを検知した場合に、前記券不足者の所持している乗車券媒体の受取を許可するように前記受取口を開く工程と、
を備えたことを特徴とする改札方法。
【請求項８】
乗車券媒体所持者が進行する通路を形成する筐体における通路の進行方向に沿った上流側に設けられた１枚以上の乗車券媒体を受け取る受取口に乗車券媒体が投入されたか否かを検知する工程と、
受け取られた前記乗車券媒体を１枚ずつ進行方向の下流側に向けて搬送しながら、前記乗車券媒体に記録されているデータを読み取る工程と、
前記通路内の第１の領域に、前記乗車券媒体所持者が進入したか否かを検知する工程と、
前記乗車券媒体所持者から乗車券媒体を受け取ることなく前記第１の領域で前記乗車券媒体所持者を検知した場合には、前記乗車券所持者を無札者として認識する工程と、
前記データを読み取って乗車券媒体が不足していると判断した場合には、前記乗車券所持者を券不足者として認識する工程と、
前記無札者又は券不足者の通路の進行を阻止する工程と、
前記乗車券所持者を無札者又は券不足者として認識した際に、後続する他の乗車券媒体所持者から乗車券媒体を受け取らないために前記受取口を閉じる工程と、
前記無札者又は券不足者に対して進行方向の上流側に戻るように案内する工程と、
前記受取口に乗車券媒体を受け取ることが可能な受取領域に前記他の乗車券媒体所持者がいるか否かを判断する工程と、
前記受取領域に前記他の乗車券媒体所持者がいないと判断し、且つ前記無札者又は券不足者が前記通路中の前記第１の位置より上流側の第２の位置まで戻ったことを検知した場合に、前記無札者又は券不足者の所持している乗車券媒体の受取を許可するように前記受取口を開く工程と、
を備えたことを特徴とする改札方法。
【請求項９】
乗車券媒体所持者が進行する通路を形成する筐体における通路の進行方向に沿った上流側に設けられた１枚以上の乗車券媒体を受け取る受取口に乗車券媒体が投入されたか否かを検知する工程と、
受け取られた前記乗車券媒体を１枚ずつ進行方向の下流側に向けて搬送しながら、前記乗車券媒体に記録されているデータを読み取る工程と、
前記通路内の第１の領域に、前記乗車券媒体所持者が進入したか否かを検知する工程と、
前記乗車券媒体所持者から乗車券媒体を受け取ることなく前記第１の領域で前記乗車券媒体所持者を検知した場合には、前記乗車券所持者を無札者として認識する工程と、
前記データを読み取って乗車券媒体が不足していると判断した場合には、前記乗車券所持者を券不足者として認識する工程と、
前記無札者又は券不足者の通路の進行を阻止する工程と、
前記乗車券所持者を無札者又は券不足者として認識した際に、後続する他の乗車券媒体所持者から乗車券媒体を受け取らないために前記受取口を閉じる工程と、
進行方向下流側を向いた前記券不足者又は無札者に対して進行方向の上流側に戻るように案内する工程と、
進行方向上流側に振り返った前記券不足者又は無札者に対して進行方向のさらに上流側に戻るように案内する工程と、
後続する他の乗車券媒体所持者に対して前記受取領域から外れるように案内する工程と、
前記受取口に乗車券媒体を受け取ることが可能な受取領域に前記他の乗車券媒体所持者がいるか否かを判断する工程と、
前記受取領域に前記他の乗車券媒体所持者がいないと判断し、且つ前記無札者又は券不足者が前記通路中の前記第１の位置より上流側の第２の位置まで戻ったことを検知した場合に、前記無札者又は券不足者の所持している乗車券媒体の受取を許可するように前記受取口を開く工程と、
を備えたことを特徴とする改札方法。
【請求項１０】
乗車券媒体所持者が進行する上流側から下流側に向かって順に第１乃至第５ゾーンに分割された通路を形成する筐体における通路の進行方向に沿った上流側に設けられた１枚以上の乗車券媒体を受け取る受取口に乗車券媒体が投入されたか否かを検知する工程と、
受け取られた前記乗車券媒体を１枚ずつ進行方向の下流側に向けて搬送しながら、前記乗車券媒体に記録されているデータを読み取る工程と、
前記通路内の第２ゾーンに、前記乗車券媒体所持者が進入したか否かを検知する工程と、
前記乗車券媒体所持者から乗車券媒体を受け取ることなく前記第２ゾーンで前記乗車券媒体所持者を検知した場合には、前記乗車券所持者を無札者として認識する工程と、
前記データを読み取って乗車券媒体が不足していると判断した場合には、前記乗車券所持者を券不足者として認識する工程と、
前記無札者又は券不足者の通路の進行を阻止する工程と、
前記乗車券所持者を無札者又は券不足者として認識した際に、後続する他の乗車券媒体所持者から乗車券媒体を受け取らないために前記受取口を閉じる工程と、
前記無札者又は券不足者に対して進行方向の上流側に戻るように案内する工程と、
前記受取口に乗車券媒体を受け取ることが可能な受取領域に前記他の乗車券媒体所持者がいるか否かを判断する工程と、
前記受取領域に前記他の乗車券媒体所持者がいないと判断し、且つ前記無札者又は券不足者が前記通路中の前記第２ゾーンより上流側の第１ゾーンまで戻ったことを検知した場合に、前記無札者又は券不足者の所持している乗車券媒体の受取を許可するように前記受取口を開く工程と、
を備えたことを特徴とする改札方法。
【手続補正２】
【補正対象書類名】明細書
【補正対象項目名】００１２
【補正方法】変更
【補正の内容】
【００１２】
【課題を解決するための手段】
この発明は、上記問題点に基づきなされたもので、
請求項１に記載の発明によれば、
乗車券媒体所持者が進行する通路を形成する筐体と、筐体における通路の進行方向に沿った上流側に設けられ、１枚以上の乗車券媒体を受け取る受取口を有する受取手段と、前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、前記通路に沿って筐体に設けられ、前記乗車券媒体所持者を検知する検知手段と、前記受取手段が乗車券媒体を受け取ることが可能な受取領域に乗車券媒体所持者がいるか否かを判断する判断手段と、乗車券媒体所持者から乗車券媒体を受け取ることなく前記検知手段により通路中の第１の位置で前記乗車券媒体所持者を検知した場合には、前記乗車券所持者を無札者として認識し、前記無札者の通路の進行を阻止する阻止手段と、前記無札者に対して進行方向の上流側に戻るように案内する案内手段と、前記阻止手段が前記無札者の進行を阻止したのに基づき後続する他の乗車券媒体所持者から乗車券媒体を受け取らないために前記受取手段の受取口を閉じる開閉手段と、前記判断手段が前記受取領域に後続する他の乗車券媒体所持者がいないと判断し、且つ前記検知手段が前記無札者が前記第１の位置より上流側の通路中の第２の位置まで戻ったことを検知した場合には、前記開閉手段を開いて前記無札者の所持している乗車券媒体の受取を許可するように制御する制御手段と、を備えたことを特徴とする改札装置が提供される。


【手続補正３】
【補正対象書類名】明細書
【補正対象項目名】００１３
【補正方法】変更
【補正の内容】
【００１３】
請求項２に記載の発明によれば、
乗車券媒体所持者が進行する通路を形成する筐体と、筐体における通路の進行方向に沿った上流側に設けられ、１枚以上の乗車券媒体を受け取る受取口を有する受取手段と、前記受取手段により受け取った乗車券媒体を１枚ずつ進行方向の下流側に向けて搬送しながら、前記乗車券媒体に記録されているデータを読み取り、必要に応じて所定の処理を施した後、返却または回収する処理手段と、前記通路に沿って筐体に設けられ、前記乗車券媒体所持者を検知する検知手段と、前記受取手段が乗車券媒体を受け取ることが可能な受取領域に乗車券媒体所持者がいるか否かを判断する判断手段と、乗車券媒体所持者から受け取った全ての乗車券媒体を前記処理手段により読み取り、乗車券媒体が不足していると判断した場合には、前記乗車券所持者を券不足者として認識し、前記券不足者の通路の進行を阻止する阻止手段と、前記券不足者に対して進行方向の上流側に戻るように案内する案内手段と、前記阻止手段が前記券不足者の進行を阻止したのに基づき後続する他の乗車券媒体所持者から乗車券媒体を受け取らないために前記受取手段の受取口を閉じる開閉手段と、前記判断手段が前記受取領域に後続する他の乗車券媒体所持者がいないと判断し、且つ前記検知手段が前記券不足者が前記通路中の所定位置まで戻ったことを検知した場合には、前記開閉手段を開いて前記券不足者の所持している乗車券媒体の受取を許可するように制御する制御手段と、を備えたことを特徴とする改札装置が提供される。


【手続補正４】
【補正対象書類名】明細書
【補正対象項目名】００１４
【補正方法】変更
【補正の内容】
【００１４】
請求項３に記載の発明によれば、
乗車券媒体所持者が進行する通路を形成する筐体と、筐体における通路の進行方向に沿った上流側に設けられ、１枚以上の乗車券媒体を受け取る受取口を有する受取手段と、前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、前記通路に沿って筐体に設けられ、前記乗車券媒体所持者を検知する検知手段と、前記受取手段が乗車券媒体を受け取ることが可能な受取領域に乗車券媒体所持者がいるか否かを判断する判断手段と、乗車券媒体所持者から受け取った全ての乗車券媒体を前記処理手段により読み取り、乗車券媒体が不足していると判断した場合には、前記乗車券所持者を券不足者として認識し、また、乗車券媒体所持者から乗車券媒体を受け取ることなく前記検知手段により通路の第１の位置で前記乗車券媒体所持者を検知した場合には、前記乗車券所持者を無札者として認識し、前記券不足者又は無札者の通路の進行を阻止する阻止手段と、前記券不足者又は無札者に対して進行方向の上流側に戻るように案内する案内手段と、前記阻止手段が前記券不足者又は無札者の進行を阻止したのに基づき後続する他の乗車券媒体所持者から乗車券媒体を受け取らないために前記受取手段の受取口を閉じる開閉手段と、前記判断手段が前記受取領域に後続する他の乗車券媒体所持者がいないと判断し、且つ前記検知手段が前記券不足者又は無札者が前記通路中の前記第１の位置より上流側の第２の位置まで戻ったことを検知した場合には、前記開閉手段を開いて前記券不足者又は無札者の所持している乗車券媒体の受取を許可するように制御する制御手段と、を備えたことを特徴とする改札装置が提供される。


【手続補正５】
【補正対象書類名】明細書
【補正対象項目名】００１５
【補正方法】変更
【補正の内容】
【００１５】
請求項４に記載の発明によれば、
乗車券媒体所持者が進行する通路を形成する筐体と、筐体における通路の進行方向に沿った上流側に設けられ、１枚以上の乗車券媒体を受け取る受取口を有する受取手段と、前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、前記通路に沿って筐体に設けられ、前記乗車券媒体所持者を検知する検知手段と、前記受取手段が乗車券媒体を受け取ることが可能な受取領域に乗車券媒体所持者がいるか否かを判断する判断手段と、乗車券媒体所持者から受け取った全ての乗車券媒体を前記処理手段により読み取り、乗車券媒体が不足していると判断した場合には、前記乗車券所持者を券不足者として認識し、乗車券媒体所持者から乗車券媒体を受け取ることなく前記検知手段により通路の第１の位置で前記乗車券媒体所持者を検知した場合には、前記乗車券所持者を無札者として認識し、前記券不足者及び無札者の通路の進行を阻止する阻止手段と、前記券不足者又は無札者に対して進行方向の上流側に戻るように案内する進行方向下流側の筐体に設けられた第１案内手段と、進行方向上流側に振り返った前記券不足者又は無札者に対して進行方向のさらに上流側に戻るように案内する進行方向上流側の筐体に設けられた第２案内手段と、後続する他の乗車券媒体所持者に対して前記受取領域から外れるように案内する進行方向上流側の筐体に設けられた第３案内手段と、前記阻止手段が前記券不足者又は無札者の進行を阻止したのに基づき後続する他の乗車券媒体所持者から乗車券媒体を受け取らないために前記受取手段の受取口を閉じる開閉手段と、前記判断手段が前記受取領域に後続する他の乗車券媒体所持者がいないと判断し、且つ前記検知手段が前記券不足者又は無札者が前記通路中の前記第１の位置より上流側の第２の位置まで戻ったことを検知した場合には、前記開閉手段を開いて前記券不足者又は無札者の所持している乗車券媒体の受取を許可するように制御する制御手段と、を備えたことを特徴とする改札装置が提供される。


【手続補正６】
【補正対象書類名】明細書
【補正対象項目名】００１６
【補正方法】変更
【補正の内容】
【００１６】
請求項５に記載の発明によれば、
乗車券媒体所持者が進行する上流側から下流側に向かって順に第１乃至第５ゾーンに分割された通路を形成する筐体と、筐体における通路の進行方向に沿った上流側に設けられ、１枚以上の乗車券媒体を受け取る受取口を有する受取手段と、前記受取手段により受け取られた乗車券媒体を１枚ずつ進行方向の下流側に向けて搬送しながら、前記乗車券媒体に記録されているデータを読み取り、必要に応じて所定の処理を施した後、返却または回収する処理手段と、前記通路に沿った前記第１乃至第５ゾーンの各ゾーンに対応する位置の筐体に設けられ、前記乗車券媒体所持者の位置をゾーン毎に検知する検知手段と、前記受取手段が乗車券媒体を受け取ることが可能な受取領域に乗車券媒体所持者がいるか否かを判断する判断手段と、乗車券媒体所持者から乗車券媒体を受け取ることなく前記検知手段により通路の第２ゾーンで前記乗車券媒体所持者を検知した場合には、前記乗車券所持者を無札者として認識し、前記無札者の通路の進行を阻止する阻止手段と、前記無札者に対して進行方向の上流側に戻るように案内する案内手段と、前記阻止手段が前記無札者の進行を阻止したのに基づき後続する他の乗車券媒体所持者から乗車券媒体を受け取らないために前記受取手段の受取口を閉じる開閉手段と、前記判断手段が前記受取領域に後続する他の乗車券媒体所持者がいないと判断し、且つ前記検知手段が前記無札者が前記通路中の第１ゾーンまで戻ったことを検知した場合には、前記開閉手段を開いて前記無札者の所持している乗車券媒体の受取を許可するように制御手段と、を備えたことを特徴とする改札装置が提供される。